(57)【要約】【課題】プラグを給電ケーブルに取り付ける作業を現場で容易に行うことができる集魚灯用給電ケーブル接続用コネクタを提供する。【解決手段】給電ケーブル５の外周に嵌合される絶縁筒７０１と、絶縁筒の先端部にネジ結合されるプラグ本体７０４と、プラグ本体と絶縁筒との結合部をシールするシール部材７０５と、絶縁筒の後端部の内周に圧入されるゴムブッシング７０２と、絶縁筒の後端部にネジ結合されるプラグ固定部材７０３と、プラグ７をレセプタクル６に接続する際にレセプタクルの中空部内に圧入されるプラグ先端部材７０７と、プラグ先端部材を軸線方向に圧縮した状態でプラグ本体をレセプタクル本体に締結するプラグ締結部材７０８とを備えて、プラグ先端部材７０７に設けたコンタクト圧入孔内で、プラグコンタクトとレセプタクルコンタクトとを接触させるようにした。【選択図】    図３
2010129519.tif 000002
【特許請求の範囲】
【請求項１】
集魚灯の灯具に一端が接続される複数の線心を有する集魚灯給電用ケーブルの前記灯具と反対側の端末部を船上に設置された分電盤ボックスに接続するコネクタであって、
軸線方向の一端が開口し他端が端部壁により閉鎖された中空部を有し、軸線方向の一端の外周に雄ネジ部が形成された絶縁樹脂製のレセプタクル本体の前記端部壁に前記給電ケーブルの複数の線心にそれぞれ対応する複数のレセプタクル導体を鋳込んで各レセプタクル導体の前記中空部内に配置された部分にレセプタクルコンタクトを形成した構造を有して前記レセプタクル本体が前記分電盤ボックスに固定されるレセプタクルと、前記給電ケーブルの前記端末部に取り付けられて前記レセプタクルに接続されるプラグとを備え、
前記プラグは、先端を前記給電ケーブルの前記端末部側に向けて前記給電ケーブルの端末部寄りの部分の外周に嵌合される絶縁筒と、後端部が前記絶縁筒の先端部にネジ結合されるように構成されると共に内部を軸線方向に伸びる複数の導体挿通孔が前記給電ケーブルの複数の線心にそれぞれ対応させて設けられて各導体挿通孔の一端が先端面に開口させられた構造を有する絶縁樹脂製のプラグ本体と、前記プラグ本体の後端部と前記絶縁筒の先端部との結合部をシールするシール部材と、前記複数のレセプタクルコンタクトにそれぞれ接触するプラグコンタクトを先端側に有するとともに前記給電ケーブルの複数の線心の導体にそれぞれ接続される導体接続部を後端側に有して該導体接続部が前記プラグ本体の複数の導体挿通孔に抜き差し自在に挿入されて前記プラグ本体に保持される複数のプラグ導体と、先端側の外径を後端側の外径より小さくするように外周面にテーパが付けられて前記給電ケーブルの外周に嵌合された状態で先端部が前記絶縁筒の後端部の内周と給電ケーブルの外周との間に形成された隙間内に圧入されるゴムブッシングと、前記給電ケーブルの外周に嵌合された状態で前記絶縁筒の後端部にネジ結合されて前記ゴムブッシングを前記隙間内に向けて付勢するプラグ固定部材と、前記レセプタクルの中空部内に圧入し得るように形成されるとともに内部を軸線方向に貫通した複数のコンタクト圧入孔が前記複数のプラグ導体及び複数のレセプタクル導体にそれぞれ対応させて設けられた絶縁ゴム製のプラグ先端部材と、前記プラグ本体の外周に嵌合された状態で前記レセプタクル本体の雄ネジ部に螺合されて前記プラグ先端部材を軸線方向に圧縮した状態で前記プラグ本体を前記レセプタクル本体に締結するプラグ締結部材とを備え、
前記プラグがレセプタクルに接続された際に、各プラグコンタクト及びレセプタクルコンタクトが前記レセプタクル本体の中空部内に圧入されたプラグ先端部材の対応するコンタクト圧入孔内で相互に接触するように構成されていることを特徴とする集魚灯用給電ケーブル接続用コネクタ。
【請求項２】
集魚灯の灯具に一端が接続される複数の線心を有する集魚灯給電用ケーブルの前記灯具と反対側の端末部を船上に設置された分電盤ボックスに接続するコネクタであって、
軸線方向の一端が開口し他端が端部壁により閉鎖された中空部を有し、軸線方向の一端及び他端の外周にそれぞれ第１及び第２の雄ネジ部が形成された絶縁樹脂製のレセプタクル本体の前記端部壁に前記給電ケーブルの複数の線心にそれぞれ対応する複数のレセプタクル導体を鋳込んで各レセプタクル導体の前記中空部内に配置された部分にレセプタクルコンタクトを形成した構造を有して前記第２の雄ネジ部と該第２の雄ネジ部に螺合されるナットとにより前記分電盤ボックスに固定されるレセプタクルと、前記給電ケーブルの前記端末部に取り付けられて前記レセプタクルに接続されるプラグとを備え、
前記プラグは、
先端部の内周及び後端部の外周にそれぞれ雌ネジ部及び第３の雄ネジ部が形成されるとともに前記第３の雄ネジ部の内側の内周面にテーパが付けられ、前記先端部を前記給電ケーブルの前記端末部側に向けた状態で前記給電ケーブルの端末部寄りの部分の外周に嵌合される絶縁筒と、
後端部及び先端部にそれぞれ第４の雄ネジ部及びフランジ部を有して前記第４の雄ネジ部が前記絶縁筒の雌ネジ部に螺合されることにより前記絶縁筒の先端部に結合されるように構成されると共に、内部を軸線方向に伸びる複数の導体挿通孔が前記給電ケーブルの複数の線心にそれぞれ対応させて設けられて各導体挿通孔の一端が先端面に開口させられた構造を有する絶縁樹脂製のプラグ本体と、
前記プラグ本体の後端部と絶縁筒の先端部との結合部をシールするシール部材と、
前記複数のレセプタクルコンタクトにそれぞれ接触するプラグコンタクトを先端側に有するとともに前記給電ケーブルの複数の線心の導体にそれぞれ接続される導体接続部を後端側に有して該導体接続部が前記プラグ本体の複数の導体挿通孔に抜き差し自在に挿入されて前記プラグ本体に保持される複数のプラグ導体と、
先端側の外径を後端側の外径より小さくするように外周面にテーパが付けられていて前記給電ケーブルの外周に嵌合された状態で先端部が前記絶縁筒の前記テーパが付けられた内周面と前記給電ケーブルの外周との間の隙間内に圧入されるゴムブッシングと、
前記給電ケーブルに嵌合された状態で前記絶縁筒の前記第３の雄ネジ部に螺合されて前記ゴムブッシングを前記隙間内に向けて付勢するプラグ固定部材と、
絶縁性のゴムからなっていて前記レセプタクル本体の中空部内に圧入されるように形成された本体部分と該本体部分の軸線方向の一端の外周に形成された外鍔部とを一体に有するとともに、前記本体部分を軸線方向に貫通して前記複数のプラグ導体及び複数のレセプタクル導体にそれぞれ対応する複数のコンタクト圧入孔が形成されたプラグ先端部材と、
前記プラグ本体の外周に嵌合されて、前記プラグ本体のフランジ部及びプラグ先端部材の外鍔部を内包した状態で前記レセプタクル本体の前記第１の雄ネジ部に螺合されて、前記プラグ本体のフランジ部を介して前記プラグ先端部材の外鍔部を前記レセプタクル側に押圧した状態で前記プラグ本体を前記レセプタクル本体に締結するプラグ締結部材と、
を具備し、
前記プラグがレセプタクルに接続された際に、各プラグコンタクト及びレセプタクルコンタクトが前記レセプタクル本体の中空部内に圧入されたプラグ先端部材の対応するコンタクト圧入孔内で相互に接触するように構成されていることを特徴とする集魚灯用給電ケーブル接続用コネクタ。
【請求項３】
前記絶縁筒の内周の前記雌ネジ部と前記テーパが付けられた内周面との間の部分は、前記雌ネジ部の内径よりも小さい内径を有するケーブル挿通部とされ、
前記プラグ本体の後端部と絶縁筒の先端部との結合部をシールするシール部材は、前記プラグ本体の先端部の端面と前記絶縁筒の前記ケーブル挿通部の前記雌ネジ側の端面との間に配置されたＯリングからなっている請求項２に記載の集魚灯用給電ケーブル接続用コネクタ。
【発明の詳細な説明】
【技術分野】
【０００１】
本発明は、集魚灯の灯具に一端が接続される給電ケーブルの他端を船上に設置された分電盤ボックスに接続するコネクタに関するものである。
【背景技術】
【０００２】
夜間の漁においては、魚を集めるために集魚灯が用いられている。集魚灯としては、漁船の船上に固定されて使用される船上集魚灯と、水中に投入されて使用される水中集魚灯とがある。集魚灯は、白熱灯、メタルハライドランプ、発光ダイオード等を発光体として用いた灯具を備えていて、該灯具の給電部に給電ケーブルの一端が接続され、給電ケーブルの他端が船上に設けられた電源に接続される。多くの場合、集魚灯は複数個使用される。集魚灯を複数個使用する場合には、特許文献１に示されているように、電源の出力を分岐するために必要な機器や操作スイッチ類を備えた分電盤ボックスを船上に設置して、この分電盤ボックスから給電ケーブルを通して各集魚灯の灯具に給電するようにしている。
【０００３】
従来の分電盤ボックスでは、各集魚灯の給電ケーブルを分電盤ボックスの側板に取り付けられたブッシングを通して直接ボックス内に導入して、電源の出力を分岐する回路に接続している。
【特許文献１】実開昭６３−１７２０９９号公報
【発明の開示】
【発明が解決しようとする課題】
【０００４】
従来の分電盤ボックスと集魚灯用給電ケーブルとの接続構造では、各集魚灯の給電ケーブルを分電盤ボックスに取り付けたブッシングを通して直接ボックス内に導入していたため、給電ケーブルの導入部の防水性に不安があり、ボックスに海水がかかった際に給電ケーブルの導入部からボックス内に海水が浸入するおそれがあった。
【０００５】
また従来の分電盤ボックスと集魚灯用給電ケーブルとの接続構造では、給電ケーブルをブッシングを通してボックス内に直接導入していたため、給電ケーブルを接続する際にボックスを開かねばならず、給電ケーブルの接続作業が面倒になるのを避けられなかった。
【０００６】
上記の問題を解決するために、分電盤ボックスと給電ケーブルとの接続を、分電盤ボックスに取り付けられたレセプタクルと給電ケーブルに取り付けられたプラグとからなるコネクタにより行うことが考えられるが、この場合、レセプタクル及びプラグは防水構造とする必要がある。
【０００７】
また灯具と分電盤ボックスとの間を接続する給電ケーブルには種々のグレードのものがあり、いずれのグレードの給電ケーブルを使用するかはユーザの選択にまかされているため、ユーザの間には、任意のグレードの給電ケーブルを使用したいとのニーズがある。給電ケーブルと分電盤ボックスとの接続をコネクタにより行う方式とする場合に、任意の給電ケーブルの使用を可能にするためには、給電ケーブルへのプラグの取付をユーザが自ら行い得るようにしておく必要がある。
【０００８】
本発明の目的は、防水性を有し、かつ給電ケーブルへのプラグの着脱を容易に行うことができるようにした集魚灯用給電ケーブル接続用コネクタを提供することにある。
【課題を解決するための手段】
【０００９】
本発明は、集魚灯の灯具に一端が接続される複数の線心を有する集魚灯給電用ケーブルの前記灯具と反対側の端末部を船上に設置された分電盤ボックスに接続するコネクタに係わるもので、本発明に係わるコネクタは、軸線方向の一端が開口し他端が端部壁により閉鎖された中空部を有し、軸線方向の一端の外周に雄ネジ部が形成された絶縁樹脂製のレセプタクル本体の端部壁に給電ケーブルの複数の線心にそれぞれ対応する複数のレセプタクル導体を鋳込んで各レセプタクル導体の前記中空部内に配置された部分にレセプタクルコンタクトを形成した構造を有してレセプタクル本体が分電盤ボックスに固定されるレセプタクルと、給電ケーブルの前記端末部に取り付けられてレセプタクルに接続されるプラグとを備えている。
【００１０】
本発明においては、上記プラグが、先端を給電ケーブルの端末部側に向けて給電ケーブルの端末部寄りの部分の外周に嵌合される絶縁筒と、後端部が絶縁筒の先端部にネジ結合されるように構成されると共に内部を軸線方向に伸びる複数の導体挿通孔が給電ケーブルの複数の線心にそれぞれ対応させて設けられて各導体挿通孔の一端が先端面に開口させられた構造を有する絶縁樹脂製のプラグ本体と、プラグ本体の後端部と絶縁筒の先端部との結合部をシールするシール部材と、複数のレセプタクルコンタクトにそれぞれ接触するプラグコンタクトを先端側に有するとともに給電ケーブルの複数の線心の導体にそれぞれ接続される導体接続部を後端側に有して該導体接続部がプラグ本体の複数の導体挿通孔に抜き差し自在に挿入されてプラグ本体に保持される複数のプラグ導体と、先端側の外径を後端側の外径より小さくするように外周面にテーパが付けられて給電ケーブルの外周に嵌合された状態で先端部が絶縁筒の後端部の内周と給電ケーブルの外周との間に形成された隙間内に圧入されるゴムブッシングと、給電ケーブルの外周に嵌合された状態で絶縁筒の後端部にネジ結合されてゴムブッシングを前記隙間内に向けて付勢するプラグ固定部材と、レセプタクルの中空部内に圧入し得るように形成されるとともに内部を軸線方向に貫通した複数のコンタクト圧入孔が複数のプラグ導体及び複数のレセプタクル導体にそれぞれ対応させて設けられた絶縁ゴム製のプラグ先端部材と、前記プラグ本体の外周に嵌合された状態でレセプタクル本体の雄ネジ部に螺合されてプラグ先端部材を軸線方向に圧縮した状態でプラグ本体をレセプタクル本体に締結するプラグ締結部材とを備えていて、プラグがレセプタクルに接続された際に、各プラグコンタクト及びレセプタクルコンタクトがレセプタクル本体の中空部内に圧入されたプラグ先端部材の対応するコンタクト圧入孔内で相互に接触するように構成される。
【００１１】
上記のように、レセプタクルとして、絶縁樹脂製のレセプタクル本体にレセプタクル導体を鋳込んだ構造を有するものを用いると、レセプタクル自体に防水性を持たせることができるため、レセプタクルと分電盤ボックスとの接続部をパッキン等によりシールしておくことにより、レセプタクルの部分から分電盤ボックス内に水が浸入するのを防ぐことができる。
【００１２】
また上記のように、プラグを、給電ケーブルの外周に嵌合される絶縁筒と、該絶縁筒の先端部にネジ結合されるプラグ本体と、プラグ本体と絶縁筒との結合部をシールするシール部材と、絶縁筒の他端の内周に圧入されるゴムブッシングと、絶縁筒の後端部にネジ結合されるプラグ固定部材と、プラグをレセプタクルに接続する際にレセプタクルの中空部内に圧入される絶縁ゴム製のプラグ先端部材と、プラグ先端部材を軸線方向に圧縮した状態でプラグ本体をレセプタクル本体に締結するプラグ締結部材とを備えた構造として、プラグ先端部材に設けたコンタクト圧入孔内で、プラグコンタクトとレセプタクルコンタクトとを接触させるようにすると、シール部材と、ゴムブッシングと、プラグ先端部材とに止水機能を持たせてプラグ内に水が浸入するのを防ぐことができるため、プラグに十分な防水性を持たせることができる。
【００１３】
また上記のように構成すると、プラグ固定部材、ゴムブッシング及び絶縁筒を給電ケーブルに嵌合させ、給電ケーブルの複数の線心にそれぞれプラグ導体を接続した状態で、プラグ固定部材を絶縁筒にネジ結合して締め付けることにより絶縁筒を給電ケーブルに固定することができ、この状態でプラグ導体を貫通させたプラグ本体をシール部材によりシールして絶縁筒の一端にネジ結合することによりプラグを組立てることができるため、給電ケーブルへのプラグの取付を現場で容易に行うことができる。
【００１４】
また本発明に係わるコネクタにおいては、プラグを構成する部品が、すべて分解可能であるため、船上の作業により損傷した給電ケーブルを交換する際には、プラグを構成する部品を再利用することができ、給電ケーブルを交換する毎に新たなプラグを購入する必要性をなくして、集魚灯のメンテナンスに要するコストの低減を図ることができる。
【００１５】
本発明の好ましい態様では、軸線方向の一端が開口し他端が端部壁により閉鎖された中空部を有し、軸線方向の一端及び他端の外周にそれぞれ第１及び第２の雄ネジ部が形成された絶縁樹脂製のレセプタクル本体の前記端部壁に前記給電ケーブルの複数の線心にそれぞれ対応する複数のレセプタクル導体を鋳込んで各レセプタクル導体の前記中空部内に配置された部分にレセプタクルコンタクトを形成した構造を有して第２の雄ネジ部と該第２の雄ネジ部に螺合されるナットとにより分電盤ボックスに固定されるレセプタクルが用いられる。
【００１６】
この場合、プラグは、下記の要素により構成される。
（１）先端部の内周及び後端部の外周にそれぞれ雌ネジ部及び第３の雄ネジ部が形成されるとともに第３の雄ネジ部の内側の内周面にテーパが付けられ、先端部を給電ケーブルの端末部側に向けた状態で給電ケーブルの端末部寄りの部分の外周に嵌合される絶縁筒。
（２）後端部及び先端部にそれぞれ第４の雄ネジ部及びフランジ部を有して第４の雄ネジ部が絶縁筒の雌ネジ部に螺合されることにより絶縁筒の先端部に結合されるように構成されると共に、内部を軸線方向に伸びる複数の導体挿通孔が給電ケーブルの複数の線心にそれぞれ対応させて設けられて各導体挿通孔の一端が先端面に開口させられた構造を有する絶縁樹脂製のプラグ本体。
（３）プラグ本体の後端部と絶縁筒の先端部との結合部をシールするシール部材。
（４）複数のレセプタクルコンタクトにそれぞれ接触するプラグコンタクトを先端側に有するとともに給電ケーブルの複数の線心の導体にそれぞれ接続される導体接続部を後端側に有して該導体接続部がプラグ本体の複数の導体挿通孔に抜き差し自在に挿入されてプラグ本体に保持される複数のプラグ導体。
（５）先端側の外径を後端側の外径より小さくするように外周面にテーパが付けられていて給電ケーブルの外周に嵌合された状態で先端部が絶縁筒のテーパが付けられた内周面と給電ケーブルの外周との間の隙間内に圧入されるゴムブッシング。
（６）給電ケーブルに嵌合された状態で前記絶縁筒の第３の雄ネジ部に螺合されてゴムブッシングを前記隙間内に向けて付勢するプラグ固定部材。
（７）絶縁性のゴムからなっていてレセプタクル本体の中空部内に圧入されるように形成された本体部分と該本体部分の軸線方向の一端の外周に形成された外鍔部とを一体に有するとともに、本体部分を軸線方向に貫通して複数のプラグ導体及び複数のレセプタクル導体にそれぞれ対応する複数のコンタクト圧入孔が形成されたプラグ先端部材。
（８）プラグ本体の外周に嵌合されて、プラグ本体のフランジ部及びプラグ先端部材の外鍔部を内包した状態でレセプタクル本体の第１の雄ネジ部に螺合されて、プラグ本体のフランジ部を介してプラグ先端部材の外鍔部をレセプタクル側に押圧した状態でプラグ本体をレセプタクル本体に締結するプラグ締結部材。
【００１７】
このように構成される場合も、プラグがレセプタクルに接続された際には、各プラグコンタクト及びレセプタクルコンタクトがレセプタクル本体の中空部内に圧入されたプラグ先端部材の対応するコンタクト圧入孔内で相互に接触する。
【００１８】
本発明の好ましい態様では、絶縁筒の内周の雌ネジ部とテーパが付けられた内周面との間の部分が、雌ネジ部の内径よりも小さい内径を有するケーブル挿通部とされ、プラグ本体の後端部と絶縁筒の先端部との結合部をシールするシール部材が、プラグ本体の先端部の端面と絶縁筒のケーブル挿通部の雌ネジ側の端面との間に配置されたＯリングからなっている。
【発明の効果】
【００１９】
本発明によれば、レセプタクルとして、絶縁樹脂製のレセプタクル本体にレセプタクル導体を鋳込んだ構造を有するものを用いるので、レセプタクル自体に防水性を持たせることができる。またプラグは、給電ケーブルの外周に嵌合された絶縁筒と、該絶縁筒の先端部に後端部がネジ結合されたプラグ本体と、プラグ本体と絶縁筒との結合部をシールするシール部材と、絶縁筒の後端部の内周に圧入されるゴムブッシングと、絶縁筒の先端部にネジ結合されるプラグ本体と、レセプタクルの中空部内に圧入される絶縁ゴム製のプラグ先端部材と、プラグ先端部材を軸線方向に圧縮した状態でプラグ本体をレセプタクル本体に締結するプラグ締結部材とを備えた構造として、レセプタクルの中空部内に圧入されたプラグ先端部材のコンタクト圧入孔内でプラグコンタクトとレセプタクルコンタクトとを接触させるようにしたので、シール部材と、ブッシングと、プラグ先端部材とにより、止水部を構成して、プラグ内に水が浸入するのを防ぐことができ、プラグに防水性を持たせることができる。
【００２０】
また本発明によれば、プラグ固定部材、ブッシング及び絶縁筒を給電ケーブルに嵌合させ、給電ケーブルの複数の線心にそれぞれプラグ導体を接続した状態で、プラグ固定部材を絶縁筒の後端部にネジ結合して締め付けることにより絶縁筒を給電ケーブルに固定することができ、この状態でプラグ導体を貫通させたプラグ本体をシール部材によりシールして絶縁筒の先端部にネジ結合することにより、プラグを組立てることができるため、給電ケーブルへのプラグの取付を現場で容易に行うことができる。
【００２１】
また本発明に係わるコネクタにおいては、プラグを構成する部品が、すべて分解可能であるため、船上の作業により損傷した給電ケーブルを交換する際に、プラグを構成する部品を再利用することがで、集魚灯のメンテナンスに要するコストの低減を図ることができる。
【発明を実施するための最良の形態】
【００２２】
以下図面を参照して本発明の好ましい実施形態を詳細に説明する。
図１は、船上集魚灯を搭載した漁船の一例を模式的に示したもので、同図において１は海面２に浮かぶ漁船の船体、３，３，…は船体１に支持された集魚灯の複数の灯具、４は船上に設置された分電盤ボックスである。また５は灯具３の電源端子に一端の端末部が接続された給電ケーブル、６は分電盤ボックス４に取り付けられたレセプタクル、７は給電ケーブル５の他端に取り付けられてレセプタクル６に接続されたプラグであり、レセプタクル６とプラグ７とにより集魚灯用給電ケーブル接続用コネクタ８が構成されている。
【００２３】
図示してないが、分電盤ボックス４内には、船体に搭載されたエンジンにより駆動される交流発電機の出力を整流する整流器を備えた電源部が収容され、該電源部の出力がコネクタ８と給電ケーブル５とを通して灯具２に供給される。分電盤ボックス４にはまた、各コネクタへの給電をオンオフするスイッチ等が取り付けられている。給電ケーブル５及びコネクタ８は、各灯具毎に設けられていてもよく、互いに並列に接続された複数の灯具に対して共通に設けられていてもよい。
【００２４】
図２及び図３（Ａ），（Ｂ）を参照すると本発明の一実施形態に係わるコネクタ８の構成が示されている。これらの図において、４０１は分電盤ボックス４の側板で、側板４０１に設けられた取り付け孔４０２を貫通した状態でレセプタクル６が取り付けられている。また９ａないし９ｄは分電盤ボックス４内に収容された電源部の出力端子とレセプタクル６との間を接続する４本のリード線である。
【００２５】
本実施形態では、図１５に示すように、集魚灯の灯具３が、赤色発光ダイオードＬ1と、青色発光ダイオードＬ2と、白色発光ダイオードＬ3とを備えていて、これらの発光ダイオードのカソードが共通接続され、発光ダイオードＬ1，Ｌ2及びＬ3のカソードの共通接続点からマイナス側電源端子ｔａが引き出されている。また発光ダイオードＬ1，Ｌ2及びＬ3のアノードからそれぞれプラス側電源端子ｔｂ，ｔｃ及びｔｄが引き出され、魚の種類に応じて電源端子ｔａ，ｔｂ間、ｔａ，ｔｃ間及びｔａ，ｔｄ間に同時にまたは選択的に直流電圧を印加することにより、魚の種類に応じて発光ダイオードＬ1，Ｌ2及びＬ3を同時にまたは選択的に発光させることができるようになっている。
【００２６】
上記のように、本実施形態では、灯具３に４個の電源端子ｔａないしｔｄが設けられているため、分電盤ボックス内の電源部に灯具の電源端子ｔａないしｔdにそれぞれ対応する４つの出力端子が設けられ、電源部とレセプタクル６との間が４本のリード線９ａないし９ｄを介して接続される。また図３（Ｂ）に示されているように、給電ケーブル５も絶縁被覆５０１の内側に絶縁された４本の線心５ａないし５ｄを備えている。
【００２７】
図４（Ａ）ないし（Ｅ）は、レセプタクル６の構成を示しており、図５ないし図７は、レセプタクルの構成部品を示している。図４（Ａ）ないし（Ｅ）に示されているように、レセプタクル６は、絶縁樹脂の成形品からなるレセプタクル本体６０１と、レセプタクル本体６０１に鋳込まれた４本のピン状のレセプタクル導体６０２ａないし６０２ｄと、レセプタクル本体６０１を分電盤ボックス４に取り付けるために用いるナット６２０（図６Ａ，Ｂ参照）と、レセプタクル６と分電盤ボックス４との結合部のシールを図るためのパッキン６３０（図７Ａ，Ｂ参照）とにより構成されている。
【００２８】
レセプタクル本体６０１は、図４（Ａ）ないし（Ｅ）に示されているように、軸線方向の一端が開口し、他端が端部壁６０６により閉鎖された中空部６０７を有する筒状体からなっていて、その軸線方向の一端及び他端の外周にそれぞれ第１及び第２の雄ネジ部６０８及び６０９が形成されている。図示の例では、第１の雄ネジ部６０８の外径が第２の雄ネジ部６０９の外径よりも大きく設定され、第１の雄ネジ部６０８と第２の雄ネジ部６０９との間の中間部６１０の外径が第１の雄ネジ部６０８の外径よりも更に大きく設定されている。従って中間部６１０の雄ネジ部６０８側の端部及び雄ネジ部６０９側の端部にそれぞれ段部６１１及び６１２が形成されている。
【００２９】
図５（Ａ）及び（Ｂ）に示したように、レセプタクル導体６０２ａないし６０２ｄは、それぞれの軸線方向の一端側に雄型のレセプタクルコンタクト６０２ａ1ないし６０２d1を有するとともに、それぞれの軸線方向の他端側にリード線９ａないし９ｄの芯線がそれぞれ接続される管状のリード線接続部６０２ａ2ないし６０２d2を有するピン状の（断面が円形で細長い）導体からなっている。レセプタクル導体６０２ａないし６０２ｄのそれぞれのレセプタクルコンタクト６０２ａ1ないし６０２d1とリード線接続部６０２ａ2ないし６０２d2との間の部分の外周には、レセプタクルコンタクト側からリード線接続部側に順次並ぶ３つの拡大径部６０２Ａないし６０２Ｃが形成されている。
【００３０】
レセプタクル導体６０２ａないし６０２ｄは、それぞれの軸線方向をレセプタクル本体６０１の軸線と平行な方向に向けた状態でレセプタクル本体６０１の端部壁６０６に鋳込まれて(インサート成形されて）、それぞれの外周に設けられた３つの拡大径部６０２Ａないし６０２Ｃのうち、レセプタクルコンタクト６０２ａ1ないし６０２d1寄りの外周に設けられた２つの拡大径部６０２Ａ及び６０２Ｂが、レセプタクル本体６０１の端部壁６０６内に埋設されている。このように、レセプタクル導体の外周に設けた拡大径部をレセプタクル本体の端部壁６０６内に埋設しておくと、レセプタクル導体の端部壁６０６を貫通する部分の沿面距離を長くすることができるため、止水性能を高めることができる。
【００３１】
図示の例では、管状のリード線接続部６０２ａ2ないし６０２d1のそれぞれの開口端部寄りの部分が斜めにカットされることにより、リード線接続部６０２ａ2ないし６０２d1のそれぞれの端部に傾斜した開口部６１４が形成されている。レセプタクル導体６０２ａないし６０２ｄにそれぞれリード線９ａないし９ｄを接続する際には、リード線９ａないし９ｄのそれぞれの導体を露出させた後、リード線接続部６０２ａ2ないし６０２d2内にそれぞれリード線９ａないし９ｄの導体を挿入し、リード線接続部６０２ａ2ないし６０２d2のそれぞれの開口部６１４からリード線接続部６０２ａ2ないし６０２d2内に溶融した半田を流し込むことにより、リード線９ａないし９ｄの導体をリード線接続部６０２ａ2ないし６０２d2に半田付けする。
【００３２】
図示の例では、４本のレセプタクル導体６０２ａないし６０２ｄが、レセプタクル本体の横断面（軸線と直角な面）上で正方形の４つの角部にそれぞれ位置するように配置され、レセプタクル本体６０１の中空部６０７の底部には、後記するプラグ先端部材の先端面に形成される十字状突起を嵌合させるための十字状溝６１５が、レセプタクル導体６０２ａないし６０２ｄの間を仕切るように形成されている。またレセプタクル本体６０１の中間部６１０の外周にはレセプタクルの向きを識別するための突起６１６が形成され、中空部６０７の内周には、レセプタクルに接続されるプラグの向きを規制するために、後記するプラグ先端部材に設けられるキー溝に嵌合させられるキー６１７（図４Ｂ，Ｄ参照）が形成されている。更に、レセプタクル本体６０１の端部壁６０６から外部に導出されたレセプタクル導体のリード線接続部６０２ａ2ないし６０２d2のそれぞれの基部を覆うようにボス部６１８が端部壁６０６に一体に成形されている。
【００３３】
レセプタクル６を分電盤ボックス４に取り付けるため、図６（Ａ）及び（Ｂ）に示したような六角ナット６２０が設けられ、このナット６２０がレセプタクル本体６０１の第２の雄ネジ部６０９に螺合される。またレセプタクルと分電盤ボックスとの結合部のシール（液密）を図るため、レセプタクル本体の第２の雄ネジ部６０９の基部に図７（Ａ）及び（Ｂ）に示したリング状のゴムパッキン６３０が嵌合される。
【００３４】
上記レセプタクル本体６０１、レセプタクル導体６０２ａないし６０２ｄ、ナット６２０及びパッキン６３０により、レセプタクル６が構成されている。このレセプタクルは、図２及び図３（Ａ）に示したように、そのレセプタクル本体６０１の第２の雄ネジ部６０９を分電盤ボックス４の側板に設けられた取り付け孔４０２に嵌合させてパッキン６３０４をレセプタクル本体６０１の段部６１２と取り付け孔４０２の周辺部との間に介在させた状態で、第２の雄ネジ部６０９に螺合させたナット６２０を締め付けることにより、分電盤ボックス４に固定される。
【００３５】
次に本実施形態で用いるプラグ７の構造を説明する。
プラグ７は、図８（Ａ）及び（Ｂ）に示された絶縁筒７０１と、図９（Ａ），（Ｂ）に示されたゴムブッシング７０２と、図１０（Ａ）及び（Ｂ）に示されたプラグ固定部材７０３と、図１１（Ａ）ないし（Ｅ）に示されたプラグ本体７０４と、図８（Ｂ）に示されたシール部材（Ｏリング）７０５と、レセプタクル導体６０２ａないし６０２ｄにそれぞれ対応させて設けられた図１２に示すプラグ導体７０６ａないし７０６ｄと、図１３（Ａ）ないし（Ｄ）に示されたプラグ先端部材７０７と、図１４（Ａ）及び（Ｂ）に示されたプラグ締結部材７０８とにより構成される。
【００３６】
各部について詳細に説明すると、絶縁筒７０１は、図８（Ａ）及び（Ｂ）に示されたように、剛性を有する(通常の使用状態で変形しない十分な堅さと強度とを有する）絶縁樹脂により成形された円筒体からなっていて、その先端部（軸線方向の一端）の内周及び後端部（軸線方向の他端）の外周にそれぞれ雌ネジ部７０１Ａ及び第３の雄ネジ部７０１Ｂが形成され、第３の雄ネジ部７０１Ｂの内側の内周面７０１Ｃには、後記するゴムブッシングの外周のテーパに相応したテーパ（絶縁筒７０１の後端部側の開口端に向って末広がり状に傾斜したテーパ）が付けられている。
【００３７】
絶縁筒７０１の雌ネジ部７０１Ａとテーパが付けられた内周面７０１Ｃとの間の部分は、雌ネジ部７０１Ａの内径よりも小さい内径を有するケーブル挿通部７０１Ｄとなっていて、このケーブル挿通部７０１Ｄ内に給電ケーブル５が挿入される。絶縁筒７０１の外周面には、プラグを組立てる際及び分解する際にスパナなどの工具を係合させるための一対の平坦面７０１Ｅ，７０１Ｅが、１８０度離れた対称位置に位置させた状態で形成されている。絶縁筒７０１のケーブル挿通部７０１Ｄの雌ネジ部７０１Ａ側の端面７０１Ｆは、シール部材７０５を構成するＯリングを当接させる当接面として用いられる。
【００３８】
ゴムブッシング７０２は、図９（Ａ）及び（Ｂ）に示されているように、先端側の外径を後端側の外径より小さくするように外周面にテーパが付けられたブッシング本体７０２Ａと、ブッシング本体７０２Ａの後端部側の内径寄りの部分から軸線方向に沿って本体７０２Ａと反対側に突出したブッシングカラー部７０２Ｂとを一体に有していて、ブッシング本体７０２Ａの内周面とブッシングカラー部７０２Ｂの内周面とが同一の円筒面上に位置するように形成されている。
【００３９】
ゴムブッシング７０２は、絶縁性を有するゴムからなっていて、給電ケーブル５の外周面にきつく嵌合されるようにその内径が設定されている。また後記するプラグ固定部材７０３を取り付けた際にブッシングカラー部７０２Ｂがプラグ固定部材７０３の内周と給電ケーブル５との間の隙間内に挿入されるように、ブッシングカラー部７０２Ｂの肉厚が設定されている。ゴムブッシング７０２は、給電ケーブル５の外周に嵌合された状態でその先端部が絶縁筒７０１のテーパが付けられた内周面７０１Ｃと給電ケーブル５の外周面との間の隙間内に圧入される（図３Ａ参照）。
【００４０】
本実施形態で用いるプラグ固定部材７０３は、図１０（Ａ），（Ｂ）に示されたように、絶縁筒７０１の雄ネジ部７０１Ｂに螺合する雌ネジ部７０３Ａを有する六角袋ナットの頭部７０３Ｂを貫通させて、給電ケーブル５の外周に嵌合されたゴムブッシング７０２のカラー部７０２Ｂを貫通させる大きさの内径を有する貫通孔７０３Ｃを形成したものからなっていて、貫通孔７０３Ｃの雌ネジ部７０３Ａ側の開口部周辺に、ゴムブッシング７０２の後端部に当接して該ゴムブッシングを絶縁筒７０１側に押圧する押圧面７０３Ｄが形成されている。
【００４１】
従ってプラグ固定部材７０３を給電ケーブル５に嵌合させた状態で絶縁筒７０１の第３の雄ネジ部７０１Ｂに螺合して締め付けると、押圧面７０３Ｄがゴムブッシング７０２の本体７０２Ａの後端部を絶縁筒７０１側に押して、ゴムブッシング７０２を絶縁筒７０１の内周面７０１Ｃとケーブル５の外周面との間の隙間内に向けて押圧する。これにより、ゴムブッシング７０２が圧縮されて絶縁筒７０１の内周面７０１Ｃとケーブル５の外周面との間の隙間内に押し込められるとともに、その内周が給電ケーブル５の外周に強く押圧されるため、絶縁筒７０１の後端部と給電ケーブル５の外周との間がシールされると共に、絶縁筒７０１が（プラグ７が）給電ケーブル５に対して固定される。
【００４２】
プラグ本体７０４は、図１１（Ａ）ないし（Ｅ）に示されたように、後端部（軸線方向の一端）及び先端部（軸線方向の他端）の外周にそれぞれ第４の雄ネジ部７０４Ａ及びフランジ部７０４Ｂを有する円柱状の部材からなっていて、剛性を有する(通常の使用状態で変形しない十分な堅さと強度とを有する）絶縁樹脂により成形されている。プラグ本体７０４の雄ネジ部７０４Ａが設けられた部分の内側には、該プラグ本体の後端部の端面に開口した中空部７０４Ｄが形成され、中空部７０４Ｄの底部７０４Ｄ1とプラグ本体７０４の先端部の端面との間の部分を軸線方向に貫通させて、レセプタクルコンタクト６０２ａないし６０２ｄにそれぞれ対応する導体挿通孔７０４ａないし７０４ｄが形成されている。導体挿通孔７０４ａないし７０４ｄの中空部７０４Ｄと反対側の開口端部には、拡大径部７０４ａ1ないし７０４d1が形成されている。またプラグ本体７０４の外周面には、スパナなどの工具を係合させるための一対の平坦面７０４Ｅ，７０４Ｅが形成され、プラグ本体７０４の先端部の端面には、後記するプラグ先端部材の端面に形成される十字状溝に嵌合する十字状突起７０４Ｆが、正方形の４つの角部にそれぞれ位置するように配置された４つの導体挿通孔７０４ａないし７０４ｄの間を仕切るようにして形成されている。
【００４３】
プラグ導体７０６ａないし７０６ｄはそれぞれレセプタクル導体６０２ａないし６０２ｄに対応させて設けられたもので、図１２に示すように、レセプタクルコンタクト６０２ａ1ないし６０２d1にそれぞれ接触する雌型のプラグコンタクト７０６ａ1ないし７０６d1を先端側に有するとともに、給電ケーブル５の芯線導体が接続される導体接続部７０６ａ2ないし７０６d2を後端側に有している。またプラグ導体７０６ａないし７０６ｄの中間部（プラグコンタクト７０６ａ1ないし７０６d1と導体接続部７０６ａ2ないし７０６d2との間の部分）には、該プラグ導体の他の部分よりも外径が大きい拡大径部７０６ａ3ないし７０６d3が形成されている。プラグ導体７０６ａないし７０６ｄは、それぞれの導体接続部７０６ａ2ないし７０６d2が、プラグ本体７０４の先端部の端面側から導体挿通孔７０４ａないし７０４ｄ内に挿入された状態でプラグ本体７０４に保持されて、それぞれの拡大径部７０６ａ3ないし７０６ｄ3がプラグ本体７０４の導体挿通孔７０４ａないし７０４ｄの拡大径部７０４ａ1ないし７０４d1内に嵌合されることにより、プラグ本体７０４の軸線方向に位置決めされる。
【００４４】
プラグ先端部材７０７は、図１３（Ａ）ないし（Ｄ）に示したように、レセプタクル本体６０１の中空部内に圧入されるように形成された円柱状の本体部分７０７Ａと、該本体部分７０７Ａの軸線方向の一端の外周に形成された外鍔部７０７Ｂとを一体に有する絶縁ゴム製の部材からなっている。プラグ先端部材７０７の本体部分７０７Ａを軸線方向に貫通させて、複数のレセプタクル導体６０２ａないし６０２ｄ及びプラグ導体７０６ａないし７０６ｄにそれぞれ対応する複数のコンタクト圧入孔７０７ａないし７０７ｄが設けられている。コンタクト圧入孔７０７ａないし７０７ｄの外鍔部７０７Ｂ側の端部には、プラグコンタクト７０６ａないし７０６ｄの拡大径部７０６a3ないし７０６a3を圧入し得る大きさの大径部７０７ａ1ないし７０７d1が形成され、コンタクト圧入孔７０７ａないし７０７ｄの外鍔部７０７Ｂと反対側の端部には、レセプタクルコンタクト６０２ａ1ないし６０２d1を圧入し得る大きさの小径部７０７ａ2ないし７０７d2（図１３Ｃ参照）が形成されている。コンタクト圧入孔７０７ａないし７０７ｄの大径部７０７a1ないし７０７d1と小径部７０７a2ないし７０７d2との間の部分の内径は、プラグコンタクト７０６a1ないし７０６d1を圧入し得る大きさに設定されている。プラグ先端部材７０７の後端部（軸線方向の一端）側の端面（外鍔部７０７Ｂ側の端面）には、プラグ本体７０４の十字状突起７０４Ｆが嵌合する十字状溝７０７Ｄが形成され、プラグ先端部材７０７の先端（軸線方向の他端）側の端面には、プラグ先端部材７０７の本体部分７０７Ａがレセプタクル本体の中空部６０７内に圧入された際に該中空部６０７の底部に設けられた十字状溝６１５に嵌合する十字状突起７０７Ｅが形成されている。またプラグ先端部材７０７の外周には、レセプタクル本体に設けられたキー６１７を嵌合させるキー溝７０７Ｇが形成されている。
【００４５】
プラグ先端部材７０７は、そのコンタクト圧入孔７０７ａないし７０７ｄ内にプラグ本体７０４の先端から突出したプラグコンタクト７０６a1ないし７０６d1を圧入した状態でプラグ本体７０４に保持される。
【００４６】
本実施形態で用いるプラグ７においては、給電ケーブル５の線心５ａないし５ｄの導体に導体接続部７０６a1ないし７０６d1が接続されたプラグ導体７０６ａないし７０６ｄを保持したプラグ本体７０４の後端部のネジ７０４Ａを絶縁筒７０１の先端の雌ネジ部７０１Ａに螺合させ、プラグ本体７０４の先端から突出したプラグコンタクト７０６a1ないし７０６d1をそれぞれプラグ先端部材７０７のコンタクト圧入孔７０７ａないし７０７ｄ内に圧入することによりプラグ先端部材７０７をプラグ本体７０４の先端に保持する。この状態で、プラグ先端部材７０７の本体部分７０７Ａをレセプタクルの中空部６０７内に圧入することにより、プラグ７をレセプタクル６に接続する。プラグ先端部材７０７をレセプタクルの中空部内に圧入すると、プラグ先端部材７０７のコンタクト圧入孔７０７ａないし７０７ｄ内でプラグコンタクト７０６a1ないし７０６d1がそれぞれレセプタクルコンタクト６０２a1ないし６０２d1に接触して、両者が電気的に接続される。
【００４７】
プラグ締結部材７０８は、図１４に示されているように、レセプタクル本体６０１の第１の雄ネジ部６０８に螺合する雌ネジ部７０８Ａを有する六角袋ナットの頭部７０８Ｂにプラグ本体７０４を貫通させ得る大きさの貫通孔７０８Ｃを形成して、軸線方向に向いた押圧面７０８Ｄを貫通孔７０８Ｃの雌ネジ部７０８Ａ側の開口部の周辺に形成したものからなっている。このプラグ締結部材は、プラグ導体７０６ａないし７０６ｄに嵌合されて保持されたプラグ先端部材７０７をレセプタクル本体の中空部６０７内に圧入して、プラグ先端部材７０７のコンタクト圧入孔７０７ａないし７０７ｄ内でプラグコンタクト７０６a1ないし７０６d1をそれぞれレセプタクルコンタクト６０２a1ないし６０２d1に接触させた状態にした後に、レセプタクル本体６０１の第1の雄ネジ部６０８に螺合されて、プラグ７をレセプタクル６に締結する。このときプラグ締結部材７０８の押圧面７０８Ｄがプラグ本体７０４のフランジ部７０４Ｂを介してプラグ先端部材７０７の外鍔部７０７Ｂをレセプタクル本体６０１の端面側に押圧してプラグ先端部材７０７を軸線方向に圧縮する。従って、プラグ７をレセプタクル６に接続した状態では、レセプタクル６の中空部６０７内がプラグ先端部材７０７により充填された状態になる。
【００４８】
上記のように、プラグ７をレセプタクル６に接続した状態では、プラグ先端部材７０７の先端の十字状突起７０７Ｅがレセプタクルの中空部６０７の底部の十字状溝６１５内に嵌合し、またプラグ本体７０４の先端の十字状突起７０４Ｆがプラグ先端部材７０７の後端部の十字状溝７０７Ｄに嵌合して止水性能を高めるため、レセプタクルの中空部内が圧縮されたプラグ先端部材７０７により充填されることと相俟って、防水性能を高めることができる。
【００４９】
本実施形態のコネクタを用いて給電ケーブル５を分電盤ボックス４に接続する際には、レセプタクル６を分電盤ボックス４に取り付ける。レセプタクル６を分電盤ボックス４に取り付ける際には、図３に示されているように、パッキン６３０が嵌合されたレセプタクル本体６０１の第２の雄ネジ部６０９を分電盤ボックス４の側板部４０１に設けられた取り付け孔４０２に嵌合させ、取り付け孔４０２を通してボックス内に導入された第２の雄ネジ部６０９にナット６２０を螺合させて締め付ける。レセプタクル６は、レセプタクル導体を絶縁樹脂からなるレセプタクル本体にインサート成形した構造を有するため十分な防水性を有し、また第２の雄ネジ部６０９の貫通部はブッシング本体の段部６１２と側板部４０１との間に介在するパッキン６３０によりシールされるため、レセプタクル６及びその取り付け部には十分な防水性を持たせることができる。
【００５０】
また給電ケーブル５にプラグ７を取り付ける際には、先ず給電ケーブルにプラグ固定部材７０３、ゴムブッシング７０２、絶縁筒７０１及びシール部材７０５を構成するＯリングを嵌合させ、給電ケーブル５の線心５ａないし５ｄをそれぞれプラグ本体７０４の導体挿通孔７０４ａないし７０４ｄに通した状態で、線心５ａないし５ｄの導体をプラグ導体７０６ａないし７０６ｄの導体接続部７０６a2ないし７０６d2に半田付けする。またプラグ導体の導体接続部７０６a2ないし７０６d2をプラグ本体７０４の導体挿通孔７０４ａないし７０４ｄに挿入してプラグ導体７０６ａないし７０６ｄをプラグ本体７０４に位置決め固定する。次いで、プラグ本体７０４の外周の平坦面７０４Ｅ，７０４Ｅが設けられた部分にスパナを噛み合わせて、プラグ本体７０４を回転しないように押えた状態で、絶縁筒７０１の平坦面７０１Ｅ，７０１Ｅにスパナを嵌合させて、該絶縁筒７０１を回転させることにより、絶縁筒７０１の先端の雌ネジ部７０１Ａをプラグ本体７０４の後端部の雄ネジ部７０４Ａに螺合させる。シール部材７０５を構成するＯリングを十分に圧縮するまで絶縁筒７０１をプラグ本体７０４に対して締め付けて、絶縁筒７０１の先端部とプラグ本体７０４の後端部とを液密に結合する。
【００５１】
次いでゴムブッシング７０２を絶縁筒７０１側に移動させて、ゴムブッシングの先端を絶縁筒７０１の後端部の内周面と給電ケーブル５の外周面との間の隙間に挿入し、この状態でプラグ固定部材７０３の雌ネジ部７０３Ｄを絶縁筒７０１の後端部の外周の雄ネジ部７０１Ｂに螺合させて締め付けることにより、ゴムブッシング７０２を絶縁筒７０１の後端部の内周面と給電ケーブル５の外周面との間の隙間内に圧縮した状態で押し込む。これにより、絶縁筒７０１の後端部と給電ケーブル５の外周との間をシールするとともに、プラグ７を給電ケーブル５に対して固定する。
【００５２】
上記の実施形態では、給電ケーブル５が４本の線心５ａないし５ｄを有しているが、給電ケーブルの線心の数は任意である。レセプタクル導体及びプラグ導体を給電ケーブルの線心の数だけ設けることにより、給電ケーブルの線心の数の如何に関わりなく本発明を適用することができる。
【００５３】
なおレセプタクル導体及びプラグ導体を給電ケーブルの線心の数よりも多くして、不要なレセプタクル導体及びプラグ導体を遊ばせておくこともできる。例えば、上記実施形態において、４個設けられているプラグ導体７０６aないし７０６ｄの内のいずれか２個のプラグ導体のみに給電ケーブルの線心を接続することにより、２本の線心を有する給電ケーブルにプラグを接続する使い方をすることもできる。
【００５４】
上記の実施形態で示した集魚灯の灯具の構成は一例を示したに過ぎず、メタルハライドランプ等の他の発光体を用いる灯具に給電する場合にも本発明を適用することができる。
【００５５】
上記の実施形態では、プラグ先端部材７０７の先端に設けた十字状突起７０７Ｅをレセプタクル本体６０１の中空部の底部に設けた十字状溝６１５に嵌合させ、プラグ本体の先端に設けた十字突起７０４Ｆをプラグ先端部材７０７の後端部に設けた十字状溝７０７Ｄに嵌合させるようにしているが、十字状突起と十字状溝の位置を入換えることもできる。例えば、プラグ先端部材７０７の先端に十字状突起７０７Ｅを設け、レセプタクル本体６０１の中空部の底部に十字状溝６１５を設ける代りに、プラグ先端部材７０７の先端に十字状溝を設け、レセプタクル本体６０１の中空部の底部に十字状突起を設けて両者を嵌合させるようにしてもよい。同様に、プラグ本体の先端に十字状突起７０４Ｆを設け、プラグ先端部材７０７の後端部に十字状溝７０７Ｄを設けて両者を嵌合させる代りに、プラグ本体の先端に十字状溝を設け、プラグ先端部材７０７の後端部に十字状突起を設けて両者を嵌合させるようにしてもよい。
【図面の簡単な説明】
【００５６】
【図１】本発明に係わるコネクタを適用する集魚灯を搭載した漁船の一例を示した模式図である。
【図２】本発明の一実施形態で用いるレセプタクルとプラグの構成を示した正面図である。
【図３】（Ａ）は本発明の一実施形態に係わるコネクタのレセプタクルとプラグとを接続した状態を示した縦断面図である。（Ｂ）は本実施形態で用いる給電ケーブルの横断面図である。
【図４】（Ａ）は本発明の実施形態で用いるレセプタクルの背面図、（Ｂ）は（Ａ）のIVB−IVB線断面図、（Ｃ）は（Ａ）のIVC−IVC線断面図、（Ｄ）は同レセプタクルの正面図、（Ｅ）は同レセプタクルの上面図である。
【図５】（Ａ）及び（Ｂ）はそれぞれ同レセプタクルで用いるレセプタクル導体の正面図及び底面図である。
【図６】（Ａ）及び（Ｂ）はそれぞれ同レセプタクルを分電盤ボックスに取り付ける際に用いるナットの正面図及び半部を断面して示した側面図である。
【図７】（Ａ）及び（Ｂ）はそれぞれ同レセプタクルを分電盤ボックスに取り付ける際に用いるパッキンの縦断面図及び正面図である。
【図８】（Ａ）及び（Ｂ）はそれぞれ本実施形態で用いるプラグを構成する絶縁筒の正面図及び縦断面図である。
【図９】（Ａ）及び（Ｂ）はそれぞれ本実施形態で用いるプラグを構成するゴムブッシングの縦断面図及び正面図である。
【図１０】（Ａ）及び（Ｂ）はそれぞれ本実施形態で用いるプラグを構成するプラグ固定部材の正面図及び半部を断面して示した側面図である。
【図１１】（Ａ）は本実施形態で用いるプラグを構成するプラグ本体の正面図である。（Ｂ）及び（Ｃ）はそれぞれ（Ａ）のXIB−XIB線断面図及びXIC−XIC線断面図、（Ｄ）及び（Ｅ）はそれぞれ同プラグ本体の背面図及び上面図である。
【図１２】本実施形態で用いるプラグ導体の正面図である。
【図１３】（Ａ）は本実施形態で用いるプラグを構成するプラグ先端部材の正面図、（Ｂ）は（Ａ）のXIIIB−XIIIB線断面図、（Ｃ）は（Ａ）のXIIIC−XIIIC線断面図、（Ｄ）は同プラグ先端部材の背面図である。
【図１４】（Ａ）及び（Ｂ）はそれぞれ本実施形態で用いるプラグをレセプタクルに締結する際に用いるプラグ締結部材の正面図及び半部縦断面図である。
【図１５】本発明の実施形態において給電ケーブルが接続される集魚灯の灯具の電気的な構成を示した回路図である。
【符号の説明】
【００５７】
３  集魚灯の灯具
４  分電盤ボックス
４０２  取付け孔
５  給電ケーブル
５ａないし５ｄ  線心
５０１  絶縁被覆
６  レセプタクル
６０１  レセプタクル本体
６０２ａないし６０２ｄ  レセプタクル導体
６０２a1ないし６０２d1  レセプタクルコンタクト
６０２ａ2ないし６０２d2  リード線接続部
６０２Ａないし６０２Ｃ  拡大径部
６０６  端部壁
６０７  中空部
６０８  第１の雄ネジ部
６０９  第２の雄ネジ部
６１０  中間部
６１５  十字状溝
６２０  ナット
６３０  パッキン
７  プラグ
７０１  絶縁筒
７０１Ａ  雌ネジ部
７０１Ｂ  第３の雄ネジ部
７０１Ｃ  テーパが付けられた内周面
７０１Ｄ  ケーブル挿通部
７０２  ゴムブッシング
７０３  プラグ固定部材
７０３Ａ  雌ねじ部
７０３Ｂ  突出部
７０３Ｃ  貫通孔
７０３Ｄ  押圧面
７０４  プラグ本体
７０４Ａ  第４の雄ネジ部
７０４Ｂ  フランジ部
７０４Ｄ  中空部
７０４Ｆ  十字状突起
７０４ａないし７０４ｄ  導体挿通孔
７０５  シール部材
７０６ａないし７０６ｄ  プラグ導体
７０６a1ないし７０６d1  プラグコンタクト
７０６a2ないし７０６d2  導体接続部
７０７  プラグ先端部材
７０７Ａ  本体部分
７０７Ｄ  十字状溝
７０７Ｅ  十字状突起
７０７Ｇ  キー溝
７０７ａないし７０７ｄ  コンタクト圧入孔
７０８  プラグ締結部材
７０８Ａ  雌ネジ部
７０８Ｂ  頭部
７０８Ｃ  貫通孔
７０８Ｄ  押圧面
８  集魚灯用給電ケーブル接続用コネクタ
【図１】
2010129519.tif 000003
【図２】
2010129519.tif 000004
【図３】
2010129519.tif 000005
【図４】
2010129519.tif 000006
【図５】
2010129519.tif 000007
【図６】
2010129519.tif 000008
【図７】
2010129519.tif 000009
【図８】
2010129519.tif 000010
【図９】
2010129519.tif 000011
【図１０】
2010129519.tif 000012
【図１１】
2010129519.tif 000013
【図１２】
2010129519.tif 000014
【図１３】
2010129519.tif 000015
【図１４】
2010129519.tif 000016
【図１５】
2010129519.tif 000017